(57)【特許請求の範囲】
【請求項１】
対象者に薬物を運ぶように構成されるシステムであって：
呼吸可能なガスと薬物とを、対象者の気道に運ぶために混合するように構成される呼吸薬物デリバリーデバイスであって、前記呼吸薬物デリバリーデバイスは、或る動作周波数を有するピエゾ素子を含み、動作中に超音波エネルギを放出する呼吸薬物デリバリーデバイス；
動作中に前記呼吸薬物デリバリーデバイスにより放出される超音波エネルギの１つ以上の特性を表す出力信号を生成するように構成されるセンサ；
コンピュータプログラムモジュールを実行するように構成される１つ以上のプロセッサ；
を有し、前記コンピュータプログラムモジュールは：
前記ピエゾ素子の前記動作周波数を含む第１の超音波周波数範囲内で動作中に前記呼吸薬物デリバリーデバイスの前記ピエゾ素子により放出される超音波エネルギのエネルギ振幅を示す第１スペクトルパラメータを、生成される出力信号に基づいて判定するように構成されるパラメータ判定モジュールであって、前記第１スペクトルパラメータは前記呼吸薬物デリバリーデバイスの動作を特徴付ける、パラメータ判定モジュール；及び
前記第１スペクトルパラメータに基づいて、前記呼吸薬物デリバリーデバイスを制御するように構成される制御モジュール；
を有し、当該システムは、前記対象者による呼気の間に前記センサにより受信される超音波エネルギを減らすように構成される吸入フラップバルブを更に有し、前記パラメータ判定モジュールは、前記第１スペクトルパラメータの変動に基づいて前記対象者の呼吸タイミングを判定するように更に構成され、前記制御モジュールの動作は、判定された前記呼吸タイミングに基づいている、システム。
【請求項２】
前記呼吸薬物デリバリーデバイスは、エアロゾル生成器及び/又はネブライザの双方又は一方を含み、前記制御モジュールは、前記第１スペクトルパラメータが所定の閾値以上に維持されるように、前記ピエゾ素子の前記動作周波数を調整することにより前記呼吸薬物デリバリーデバイスを制御するように構成される、請求項１に記載のシステム。
【請求項３】
前記呼吸薬物デリバリーデバイスは、乾燥粉末吸入器（ＤＰＩ）及び/又はメータードーズ吸入器（ＭＤＩ）の双方又は一方であり、前記第１スペクトルパラメータは、前記呼吸薬物デリバリーデバイスの作動の検出を示すことにより動作を特徴付け、当該システムは、前記第１スペクトルパラメータに基づいて忠実性メトリックを判定するように構成される忠実性モジュールを更に有し、前記忠実性メトリックは、前記対象者に対して推奨される処置が遵守されている程度を示す、請求項１に記載のシステム。
【請求項４】
対象者に薬物を運ぶことを制御するためにシステムが実行する方法であって：
対象者の気道に運ぶために、呼吸可能なガスと薬物とを、動作中に超音波エネルギを放出する呼吸薬物デリバリーデバイスが混合するステップ；
前記呼吸薬物デリバリーデバイスにより放出される超音波エネルギの１つ以上の特性を表す出力信号を、センサが生成するステップ；
動作中に前記呼吸薬物デリバリーデバイスのピエゾ素子により放出される超音波エネルギのエネルギ振幅を示す第１スペクトルパラメータを、パラメータ判定モジュールが判定するステップであって、前記超音波エネルギは、前記ピエゾ素子の動作周波数を含む第１の超音波周波数範囲内で放出され、前記第１スペクトルパラメータは前記呼吸薬物デリバリーデバイスの動作を特徴付ける、ステップ；
前記第１スペクトルパラメータの変動に基づいて前記対象者の呼吸タイミングを前記パラメータ判定モジュールが判定するステップ；
を有し、前記対象者による呼気の間に前記センサにより受信される超音波エネルギを吸入フラップバルブが減らすように、前記呼吸薬物デリバリーデバイスは、前記第１スペクトルパラメータに基づいて判定される前記呼吸タイミングに基づいて、制御モジュールにより制御される、方法。
【請求項５】
動作中に前記呼吸薬物デリバリーデバイスを制御することは、前記第１スペクトルパラメータが所定の閾値以上に維持されるように、前記ピエゾ素子の前記動作周波数を調整することにより実行される、請求項４に記載の方法。
【請求項６】
前記第１スペクトルパラメータは、前記呼吸薬物デリバリーデバイスの作動の検出を示すことにより動作を特徴付け、当該方法は、前記第１スペクトルパラメータに基づいて忠実性メトリックを判定するステップを更に有し、前記忠実性メトリックは、前記対象者に対して推奨される処置が遵守されている程度を示す、請求項４に記載の方法。
【請求項７】
対象者に薬物を運ぶように構成されるシステムであって：
呼吸可能なガスと薬物とを、対象者の気道に運ぶために混合する手段であって、動作中に超音波エネルギを放出する、手段；
前記混合する手段により放出される超音波エネルギの１つ以上の特性を表す出力信号を生成する手段；
動作中に前記混合する手段のピエゾ素子により放出される超音波エネルギのエネルギ振幅を示す第１スペクトルパラメータを判定する手段であって、前記超音波エネルギは、前記ピエゾ素子の動作周波数を含む第１の超音波周波数範囲内で放出され、前記第１スペクトルパラメータは前記混合する手段の動作を特徴付ける、手段；
前記第１スペクトルパラメータに基づいて、前記混合する手段を制御する手段；
前記対象者による呼気の間にセンサにより受信される超音波エネルギを減らす手段；及び
前記第１スペクトルパラメータの変動に基づいて前記対象者の呼吸タイミングを判定する手段；
を有し、前記制御する手段の動作は、判定された呼吸タイミングに基づく、システム。
【請求項８】
前記制御する手段は、前記第１スペクトルパラメータが所定の閾値以上に維持されるように、前記ピエゾ素子の前記動作周波数を調整することにより動作する、請求項７に記載のシステム。
【請求項９】
前記第１スペクトルパラメータは、呼吸薬物デリバリーデバイスの作動の検出を示すことにより動作を特徴付け、当該システムは、前記第１スペクトルパラメータに基づいて忠実性メトリックを判定するように構成され、前記忠実性メトリックは、前記対象者に対して推奨される処置が遵守されている程度を示す、請求項７に記載のシステム。
【発明の詳細な説明】
【技術分野】
【０００１】
[01]本開示は、呼吸薬物デリバリーデバイスにおける超音波エネルギを測定するシステム及び方法に関連し、特に、デバイスの動作及び/又はそれに基づく患者忠実度(patient  adherence)を制御及び/又は監視すること等に関連する。
【背景技術】
【０００２】
[02]呼吸薬物デリバリーデバイスは様々なタイプの患者を治療するために使用される。例えばネブライザ(nebulizer)のような或る種の呼吸薬物デリバリーデバイスは、超音波の範囲内の周波数で動作するコンポーネントを含む。デバイスのパフォーマンスは、そのようなコンポーネントを正確性かつ有効性とともに制御することに依存する。有効な治療の成果は、患者忠実度を含む多くの要因に依存するかもしれない。
【発明の概要】
【０００３】
[03]従って、1つ以上の実施形態は、対象者に薬物を送り込むように構成されるシステムを提供する。本システムは、呼吸薬物デリバリーデバイスと、センサと、コンピュータプログラムモジュールを実行するように構成される1つ以上のプロセッサとを有する。呼吸薬物デリバリーデバイスは、呼吸可能なガスと薬物とを、対象者の気道に運ぶために混合するように構成される。呼吸薬物デリバリーデバイスは、動作中に超音波エネルギを放出する。センサは、動作中に呼吸薬物デリバリーデバイスにより放出される超音波エネルギの１つ以上の特性を表す出力信号を生成するように構成される。コンピュータプログラムモジュールは、パラメータ判定モジュール及び/又は他のモジュールを有する。パラメータ判定モジュールは、第１の超音波周波数範囲内で動作中に呼吸薬物デリバリーデバイスにより放出される超音波エネルギのエネルギ振幅を示す第１スペクトルパラメータを、生成される出力信号に基づいて判定するように構成される。第１スペクトルパラメータは呼吸薬物デリバリーデバイスの動作を特徴付ける。
【０００４】
[04]1つ以上の実施形態の別の側面は、対象者に薬物を送り込む方法を提供する。本方法は、対象者の気道に運ぶために、呼吸可能なガスと薬物とを、動作中に超音波エネルギを放出する呼吸薬物デリバリーデバイスにより、混合するステップ；呼吸薬物デリバリーデバイスにより放出される超音波エネルギの１つ以上の特性を表す出力信号を、センサにより生成するステップ；及び動作中に呼吸薬物デリバリーデバイスにより放出される超音波エネルギのエネルギ振幅を示す第１スペクトルパラメータを判定するステップであって、超音波エネルギは第１の超音波周波数範囲内で放出され、第１スペクトルパラメータは呼吸薬物デリバリーデバイスの動作を特徴付ける、ステップ；を有する。
【０００５】
[05]1つ以上の実施形態の別の側面は、対象者に薬物を送り込むように構成されるシステムを提供する。本システムは、呼吸可能なガスと薬物とを、対象者の気道に運ぶために混合する手段であって、動作中に超音波エネルギを放出する、手段；混合する手段により放出される超音波エネルギの１つ以上の特性を表す出力信号を生成する手段；及び放出される超音波エネルギのエネルギ振幅を示す第１スペクトルパラメータを判定する手段であって、超音波エネルギは第１の超音波周波数範囲内で放出され、第１スペクトルパラメータは混合する手段の動作を特徴付ける、手段；を有する。
【０００６】
[06]本開示についてのこれら及び他の側面、特徴及び特性に加えて、関連する構造的な要素及びパーツの組み合わせの作動方法及び機能、並びに製造の経済性等は、本願の一部を成す全図に関し、以下の説明及び添付の特許請求の範囲を考慮することにより更に明らかになり、図中、同様な参照番号は対応するパーツを示す。しかしながら、図面は例示及び説明のためであるにすぎず、如何なる限定の定義としても意図されていないことが明白に理解されるべきである。
【図面の簡単な説明】
【０００７】
【図１】[07]図1、12-14は対象者に薬物を送り込むように構成されるシステムを示す。
【図２】[08]図2は対象者に薬物を送り込む方法を示す。
【図３】[09]図3-9は、対象者に薬物を送り込むように構成されるシステムで使用されるような様々な呼吸薬物デリバリーデバイスの動作中に放出されるエネルギのグラフを示す。
【図４】図3-9は、対象者に薬物を送り込むように構成されるシステムで使用されるような様々な呼吸薬物デリバリーデバイスの動作中に放出されるエネルギのグラフを示す。
【図５】図3-9は、対象者に薬物を送り込むように構成されるシステムで使用されるような様々な呼吸薬物デリバリーデバイスの動作中に放出されるエネルギのグラフを示す。
【図６】図3-9は、対象者に薬物を送り込むように構成されるシステムで使用されるような様々な呼吸薬物デリバリーデバイスの動作中に放出されるエネルギのグラフを示す。
【図７】図3-9は、対象者に薬物を送り込むように構成されるシステムで使用されるような様々な呼吸薬物デリバリーデバイスの動作中に放出されるエネルギのグラフを示す。
【図８】図3-9は、対象者に薬物を送り込むように構成されるシステムで使用されるような様々な呼吸薬物デリバリーデバイスの動作中に放出されるエネルギのグラフを示す。
【図９】図3-9は、対象者に薬物を送り込むように構成されるシステムで使用されるような様々な呼吸薬物デリバリーデバイスの動作中に放出されるエネルギのグラフを示す。
【図１０】[10]図10-11は、対象者に薬物を送り込むように構成されるシステムで使用されるような受信した超音波エネルギを表現する信号を処理するサブシステムを示す。
【図１１Ａ】図10-11は、対象者に薬物を送り込むように構成されるシステムで使用されるような受信した超音波エネルギを表現する信号を処理するサブシステムを示す。
【図１１Ｂ】図10-11は、対象者に薬物を送り込むように構成されるシステムで使用されるような受信した超音波エネルギを表現する信号を処理するサブシステムを示す。
【図１２】図1、12-14は対象者に薬物を送り込むように構成されるシステムを示す。
【図１３】図1、12-14は対象者に薬物を送り込むように構成されるシステムを示す。
【図１４】図1、12-14は対象者に薬物を送り込むように構成されるシステムを示す。
【図１５Ａ】[11]図15A-15Dは、呼吸薬物デリバリーデバイス上の表面又はその中からのエネルギ測定を行うための様々な手段を示す。
【図１５Ｂ】図15A-15Dは、呼吸薬物デリバリーデバイス上の表面又はその中からのエネルギ測定を行うための様々な手段を示す。
【図１５Ｃ】図15A-15Dは、呼吸薬物デリバリーデバイス上の表面又はその中からのエネルギ測定を行うための様々な手段を示す。
【図１５Ｄ】図15A-15Dは、呼吸薬物デリバリーデバイス上の表面又はその中からのエネルギ測定を行うための様々な手段を示す。
【発明を実施するための形態】
【０００８】
[12]本願で使用されるように、「ある」、「或る」及び「その」等のような単一的な形式は、明示的に別段の断りがない限り、複数個を指し示すことを含む。本願で使用されるように、2つ以上のパーツ又はコンポーネントが「結合される」という記述は、それらのパーツが一緒にされること、或いは、直接的又は間接的にともに動作すること、すなわち、リンクが生じる限り1つ以上の仲介的なパーツ又はコンポーネントを介して間接的に動作することを意味してよい。本願で使用されるように、「直接的に結合される」は、2つの要素が互いに直接的に接触することを意味してよい。本願で使用されるように、「固定的に結合される」又は「固定される」は、2つのコンポーネントが、互いに一定の方向を維持しながら一体となって動くように結合されることを意味する。
【０００９】
[13]本願で使用されるように、「一単位の(unitary)」という用語は、コンポーネントが1つのピース(1個)又はユニットとして形成されることを意味する。すなわち、別々に作成された後に1ユニットとして一緒に結合される(複数の)ピースを含む或るコンポーネントは、「一単位の」コンポーネント又はボディではない。本願で使用されるように、2つ以上のパーツ又はコンポーネントが互いに「係合する(engage)」は、直接的に又は1つ以上の中間的なパーツやコンポーネントを介して、パーツが互いに作用する力を発揮することを意味する。本願で使用されるように、「個数(number)」という用語は、1又は1より大きな整数(すなわち、複数)を意味する。
【００１０】
[14]限定ではないが、例えば、トップ、ボトム、左、右、上側、下側、正面、背面、及びそれらに関連する用語のような本願で使用される方向に関する言い回しは、図面に示される要素の向きに関連し、明示的に言及されない限り請求項を限定するものではない。
【００１１】
[15]図1は、対象者106に薬を運ぶように構成されるシステム10を概略的に示す。システム10は、呼吸薬物デリバリーデバイス11、吸気フラップバルブ12、1つ以上のセンサ142、1つ以上のプロセッサ110、パラメータ判定モジュール111、制御モジュール112、忠実性モジュール113、電子ストレージ130、ユーザーインターフェース120、及び/又は、その他のコンポーネント及び/又はコンピュータプログラムモジュールのうちの1つ以上を含んでよい。
【００１２】
[16]呼吸薬物デリバリーデバイス11は、ジェットネブライザ(ジェット吸入器)、メッシュネブライザ、超音波ネブライザ、ネブライザ、エアロゾル生成器(煙霧発生器)、メーター(定量)ドーズ吸入具、乾燥粉末吸入具、吸入具、及び/又は、他のデバイス(少なくとも部分的に対象者の呼吸を通じて対象者に薬を運ぶように構成されるデバイス)のうちの1つ以上を含んでよい。一実施形態において、呼吸薬物デリバリーデバイス11は、これらの任意の装置の1つ以上の特徴を含んでいてもよい。呼吸薬物デリバリーデバイス11は、対象者106の気道への輸送のために、例えば空気のような呼吸可能なガス(又は気体)と、例えば液体及び/又はエアロゾル化された薬のような薬物とを混合するように構成されてもよい。呼吸薬物デリバリーデバイス11は、動作中に、エネルギ(限定ではないが、例えば、超音波エネルギ)を放出してもよい。呼吸薬物デリバリーデバイス11は、呼吸薬物デリバリーデバイスの構成要素が、超音波周波数での機械的な動きにより空気及び/又はガスを変位させるように、構成されてもよい。そのような変位は、間接的であってもよく、例えば、移動するコンポーネントが別のコンポーネントに結合され、その別のコンポーネントがエネルギを空気及び/又はガスに伝達してもよい。一実施形態において、呼吸薬物デリバリーデバイス11は、約18kHzないし約200kHzの間の周波数範囲、及び/又は、その任意のサブレンジにおけるエネルギを放出してもよい。具体的な周波数範囲は、使用される呼吸薬物デリバリーデバイスのタイプ等に依存してもよい。一実施形態において、呼吸薬物デリバリーデバイス11は、例えば医療専門家のような介護者108により操作されてもよい。一実施形態において、呼吸薬物デリバリーデバイス11は、ガス及び/又は薬を対象者106へ案内する導管180、及び/又は、導管180から対象者106の気道へガス及び/又は薬を運ぶためのマウスピース又はマスク184を含む。
【００１３】
[17]一実施形態において、呼吸薬物デリバリーデバイス11は、メッシュネブライザ及び/又はそのコンポーネント/特徴部を含んでもよい。一実施形態において、呼吸薬物デリバリーデバイス11は、超音波ネブライザ及び/又はそのコンポーネント/特徴部を含んでもよい。一実施形態において、呼吸薬物デリバリーデバイス11は、エアロゾル生成器及び/又はそのコンポーネント/特徴部を含んでもよい。メッシュネブライザ、超音波ネブライザ、及び/又は、エアロゾル生成器は、機械的な振動をもたらし、従って例えば液体や空気のような媒体の変位をもたらすピエゾ素子を含んでもよい。液体で満たされたネブライザは、超音波エネルギを空気及び/又はガスに伝達する可動コンポーネントを含んでもよい。一実施形態において、空気及び/又はガスに直接的に接する1つ以上の他の表面は、例えばピエゾ素子の動きの結果として動いてもよい。任意の振動する表面が超音波エネルギを放出してもよい。例えば、ピエゾ素子の背面が空気及び/又はガスに接していてもよい(及び/又は結合していてもよい)。一実施形態において、ピエゾ素子は、空気及び/又はガスに直接的に(又は間接的に)接する側面を有するメッシュに結合されてもよい(例えば、メッシュネブライザ)。一実施形態では、振動するピエゾ素子から、或る調和距離(harmonic  distance)の場所に、静的なメッシュが配置されてもよい。
【００１４】
[18]そのようなピエゾ素子は、共鳴周波数として言及される1つ以上の特定の周波数で最大変位を達成する。最大変位は、好ましい動作モード(及び/又は動作周波数)として目標にされてもよい。動作周波数は、ピエゾ素子及び/又は呼吸薬物デリバリーデバイス11の動作を特徴付ける。動作条件及び/又は最大変位は、時間とともに例えば以下のものに依存して変化するかもしれない：デバイスの中で利用可能な薬物の量、輸送される荷重、デバイスとともに/デバイスの中で使用される発振器のドリフト、デバイスの消耗、周辺動作状態(例えば、温度、湿度、周囲圧力、空気密度、及び/又は、時間とともに変化する他の要因)。動作状態及び/又は最大変位は、例えば、構成、組み立て方、及び/又は、その他のデバイス固有の条件に基づいて、個々のデバイスの間で相違するかもしれない。最大変位をもたらす特定の動作状態は、呼吸薬物デリバリーデバイス11が最大の超音波エネルギ量を放出する動作状態に一致する又は少なくとも近接していると仮定される。本願で使用されるように、「最大」という用語は、特定の動作範囲におけるローカルな最大(極大)として言及されてもよい。
【００１５】
[19]本開示によれば、呼吸薬物デリバリーデバイス11の動作状態は、(最大)変位、動作状態、共鳴周波数に類似する及び/又は近接するターゲット周波数における変化に追従し、及び/又は、デバイスの利用(例えば、患者忠実度を表す指標として)及び/又は他の変化を監視するように制御及び/又は調整されてもよい。制御及び/又は調整は、呼吸薬物デリバリーデバイス11により放出される超音波エネルギの測定(のフィードバック)に基づいてもよい。一実施形態において、調整はリアルタイム又はほぼリアルタイムでなされてもよい。一実施形態において、調整は、自動的に、自律的に及び/又はマニュアルのユーザ介入無しになされてもよい。一実施形態において、呼吸薬物デリバリーデバイス11は、ピエゾ素子の駆動周波数及び/又は例えば媒体の意図的な変位に関して構成される他のコンポーネントを制御するための電子発振器又は類似するデバイス/コンポーネントを含んでもよい。
【００１６】
[20]一例として、図9は、メッシュネブライザの動作中に放出されるエネルギのグラフ900を示す。グラフ900は、上半分にウォーターフォール表示を含み、下半分に(エネルギ振幅の)大きさを含む。ウォーターフォール表示は、垂直軸に時間を示し、水平軸に測定周波数を示す(kHz)。図9に示されるように、グラフ900は、約128kHzの周波数近辺において狭いピーク振幅を含み、これはメッシュネブライザのピエゾ素子の動作周波数である。図1においては、1つ以上のセンサ142を利用してエネルギが測定されてもよい。本願で使用されるように、「大きさ(magnitude)」という用語は、特定の周波数及び/又は特定の周波数範囲におけるエネルギ振幅を指すように使用されてもよい。
【００１７】
[21]図1のシステム10の1つ以上のセンサ142は、呼吸薬物デリバリーデバイス11により放出される超音波エネルギの1つ以上の特性を表現する出力信号を生成するように構成される。一実施形態において、センサ142は、マイクロフォン(マイクロフォン142と言及されてよい)を含んでいてもよい。例えば、センサ142は、マイクロエレクトロメカニカルシステム(又は微小電気機械システム)(MEMS)又はナノエレクトロメカニカルシステム(NEMS)として構成されるマイクロフォンを含んでもよい。本願で使用されるように、「MEMS」という用語は、MEMS又はNEMSの何れを指すように使用されてもよい。本開示で使用されるように、「マイクロフォン」という用語は、MEMSマイクロフォンを指すように使用されてもよいし、可聴の及び/又は超音波の周波数/音のために使用されてもよい。
【００１８】
[22]1つ以上のセンサ142は、加速度計、位置センサ、動きセンサ、光センサ、赤外線(IR)センサ、電磁センサ、電極、傾斜計、(ビデオ)カメラ、及び/又は、その他のセンサを含んでもよい。図1において1つのメンバを含むセンサ142を説明していることは、限定を意図しているわけではない。一実施形態において、システム10は複数のセンサを使用してもよい。図1に示されるようなセンサ142の配置の形態は、限定を意図していない。個々のセンサ142が、対象者106に又は対象者106の近辺(対象者の体の近辺)に配置されてもよいし、呼吸デバイスに組み込まれてもよいし及び/又は統合されてもよいし、及び/又は、他の場所に存在してもよい。結果の出力信号又は1つ以上のセンサ142から運ばれる情報は、プロセッサ110、ユーザーインターフェース120、電子ストレージ130及び/又はシステム10の他のコンポーネントに伝送されてもよい。伝送は有線及び/又は無線であってもよい。
【００１９】
[23]1つ以上のセンサ142は、継続的な方法で(例えば、薬を送る前、途中、及び/又は、後で)出力信号を生成するように構成されてよい。これは、速やかに、周期的に(例えば、あるサンプリングレートで)、連続的に、継続的に、変動する間隔で、及び/又は、進行する他の何らかの形式で信号を生成することを含んでよい。サンプリングレートは、約10-9秒、約10-8秒、約10-7秒、約10-6秒、約10-5秒、約10-4秒、約0.001秒、約0.01秒、約0.1秒、約1秒、約10秒、約1分、及び/又は、その他のサンプリングレートであってもよい。特定の出力信号及び/又はパラメータ及び/又はそれらから導出される特性(特にパラメータ等に関連する周波数)にとって適切であるように、複数の個々のセンサ142が異なるサンプリングレートを用いて動作してもよいことに留意を要する。例えば、一実施形態では、生成される出力信号は、出力信号のベクトルとして考えられてよく、そのベクトルは、1つ以上のパラメータ及び/又は特性に関連して運ばれる情報の複数のサンプルを含む。出力信号のベクトルから継続的な方法で判定される特定のパラメータ又は特性は、その特定のパラメータ又は特性のベクトルとして考えられてよい。
【００２０】
[24]一実施形態において、センサ142は、呼吸薬物デリバリーデバイス11内の任意の平坦な及び/又は湾曲した表面、及び/又は、呼吸薬物デリバリーデバイス11のそのような外部表面、から伝達される超音波エネルギを測定するように構成及び/又は配置されるMEMSマイクロフォンであってもよい。一例として、図15A-15Dは、表面からのエネルギ測定を行うための様々な実現手段を示す。図15Aは、監視される表面と、MEMSマイクロフォンが搭載される印刷回路基板(PCB)との間に空洞(キャビティ)が形成される様子を示す。キャビティは空気及び/又はガスで満たされてもよい。図15Aに示されるように、キャビティは2つのオーリング(O-ring)により包囲されてもよい。代替的な実現手段では、図15Bに示されるように、キャビティは、例えば両面フォームテープ(double-sided  foam  tape)のようなテープ片の中に形成されてもよい。そのようなテープ片は、図15Cの等角図により別個に示されている。一実施形態おいて、測定は、テープ内にチャネルを切り込むことにより、改善され及び/又は特定の方向で感度を改善してもよい。そのような実現手段は図15Dに示されている。
【００２１】
[25]一実施形態において、センサ142は、呼吸気流のガスパラメータ、気道の仕組みに関連するパラメータ、及び/又は、その他のパラメータに関連する測定を搬送する出力信号を生成するように構成されてもよい。ガスパラメータは、フロー、(気道)圧力、湿度、速度、加速度、及び/又は、その他のガスパラメータを含んでもよい。出力信号は、呼吸パラメータに関連する測定を搬送してもよい。センサ142は、導管180及び/又はマウスピース又はマスク184との流体連結におけるものであってもよい。センサ142は、対象者106に対する生理学的パラメータに関する出力信号を生成してもよい。パラメータは、対象者106の気道、対象者106の呼吸、対象者106により呼吸されるガス、対象者106により呼吸されるガスの組成、対象者106の気道にガスを供給すること、及び/又は、対象者による呼吸の努力についての状態及び/又は状況に関連してもよい。
【００２２】
[26]一例として、図10及び11は、それぞれサブシステム1000及び1000aを形成する様々なコンポーネントを概略的に示す。サブシステム1000及び1000aは、周波数-電圧回路1001を含んでもよい。サブシステム1000及び1000aは類似する特徴及び機能を表現してもよい。サブシステム1000、サブシステム1000a及び/又はそれらのコンポーネントは、システム10(図1)の実施形態において包含及び/又は使用されてよい。音響及び/又は超音波エネルギ(呼吸薬物デリバリーデバイス11により放出されるエネルギを含む)は、マイクロフォン142により受信及び/又は測定されてもよい。プレアンプ(前段増幅器)1002は、ハイパスフィルタ及び/又はカップリングキャパシタを含むように構成されてよい。プレアンプ1002は、図11に示されるように例えば2つのトランジスタを利用することにより事前に到来信号を増幅するために使用されてもよい。成果ディテクタ1007は、測定された超音波エネルギに基づいて、動作している呼吸薬物デリバリーデバイスのタイプを検出するように構成されてもよい。成果ディテクタ1007は、ミキサ1003、チューニング制御部1004、オーディオ増幅器1005、ゲイン制御部1006、及び/又は、その他のコンポーネントを含んでもよい。ミキサ1003は、プレアンプ1002及び/又は(図11に示されるような)ローカル発振器1020の双方により駆動されるトランジスタを含んでもよい。ミキサ1003は、2つの入力を乗算して結果の出力をもたらし、和及び差の周波数を生成するように構成されてもよい。オーディオ増幅器1005は、ミキサ1003により生成された信号を増幅し、及び/又は、ユーザの視聴に相応しいリスニングレベルをオーディオ出力1008に提供するように構成されてもよい。ゲイン制御部は、オーディオ増幅器1005に対する利得を制御するように構成されてよい。オーディオ増幅器1005からの出力は、ピーク周波数ディテクタ1011に伝達されてもよい。ピーク周波数ディテクタ1011は、増幅フィルタ1009、比較器(コンパレータ)1010、周波数−電圧回路1001、及び/又は、他のコンポーネントを含んでもよい。ピーク周波数ディテクタ1011は、マイクロフォン142を介して受信される(支配的な)周波数に比例する(直流)出力電圧を生成するように構成されてもよい。増幅フィルタ1009は、信号をディジタル化する比較器1010に先立って、信号についての更なる増幅及びフィルタリングを行う。その結果のパルス列は、キャパシタに入ってキャパシタに電荷を加えるパルスのトリガを与えるために使用されてもよい。キャパシタの電荷は、マイクロフォン142を介して受信される(支配的な)周波数を表現してもよい。代替的及び/又は同時的に、そのようなパルス列は、タイマ及び/又はカウンタをインクリメントし、キャパシタと同様な方法で使用されてもよい。
【００２３】
[27]一実施形態において、サブシステム1000及び/又は1000aと同一又は類似するサブシステムは、狭帯域の特定用途のマイクロフォンとして使用されてもよい。例えば、メッシュネブライザ及び乾燥粉末吸入器のために放出される超音波エネルギは、説明されるようなサブシステム1000及び1000aに相応しい狭帯域信号であってもよい。
【００２４】
[28]一例として、図6及び7は、乾燥粉末吸入器の動作中に放出されるエネルギのグラフ600及び600aを示す。グラフ600及び600aは、上半分にウォーターフォール表示を含み、下半分に(振幅のエネルギの)大きさを含む。ウォーターフォール表示は、垂直軸方向に時間を示し、水平軸方向に測定周波数(kHz)を示す。図6に示されるように、グラフ600は、31kHz近辺の周波数で狭くて大きなピーク601を示し、これは乾燥粉末吸入器による薬の搬送のための超音波エネルギの痕跡(又は特徴)である。このエネルギは、殺到する空気(エアラッシュ)が薬のカプセルを通過する場合に及び/又は動作中に呼吸薬物デリバリーデバイス11内の共鳴により放出されるかもしれない。グラフ600の上半分は、3つの個別的な超音波ホイッスル(whistle)を示し、それら各々は、約31kHzで始まり、約33kHzまで滑らかに増加し、約31kHzに滑らかに戻る。図7は図6の拡大図を示す。
【００２５】
[29]図10及び11に関し、サブシステム1000及び1000aと同一又は類似のサブシステムが、システム10(図1)及び/又はシステム10に類似するシステムのような、対象者に薬物を搬送するように構成される大規模なシステムに使用されてもよい。一例として、図12は、メッシュネブライザ1200、マイクロフォン142、サブシステム1000及び/又は他のコンポーネントを含むシステム10aを概略的に示す。メッシュネブライザ1200は、メッシュ1201、クラスEドライバ1202、位相ロックループ回路(PLL)1203、及び/又は、他のコンポーネントを含んでもよい。PLL1203は、「信号入力(Sig  in)」及び「比較器入力(Comp  in)」という入力と、「VCO出力(VCO-out)」及び「ロック(Lock)」という出力とを含み、それらは全てPLLに標準的である。PLL1203の「比較器入力(Comp  in)」の入力にループバックされる出力「VCO-out」は、メッシュ1201に接続されるピエゾ素子及び/又はメッシュ1201に対して(クラスEドライバ1202のような適切なドライバを介して)駆動周波数を提供するように構成されることに留意を要する。一実施形態において、PLL1203は、マイクロフォン142を介して測定される超音波エネルギと、メッシュ1201を駆動するために使用される信号/周波数(例えば、出力VCO-outからのもの)との間の位相差に基づいて、駆動周波数を調整するように構成されてもよい。マイクロフォン142は、エアロゾルとの接触が回避される又は最小化されるように配置される必要があり、例えば、メッシュ1201から適切なハーモニック距離(harmonic  distance)(すなわち、1つ以上のサイクルだけ離れた距離)にマイクロフォン142を配置することにより、エアロゾルとの接触が回避される又は最小化されるように配置される必要があることに、留意を要する。出力VCO-outからの信号は矩形波であってもよい一方、メッシュ1201からの信号は正弦波であってもよいことに留意を要する(ただし、それらの周波数は同じであることを要する)。
【００２６】
[30]メッシュ1201の動作周波数が共鳴から逸脱するように変化する場合又はそのように仮定される場合、メッシュ1201により放出されるエネルギは、(メッシュ1201を駆動するために使用される要素のインピーダンス曲線に起因して)振幅の観点から減少し、実際上、位相差を増やす。これに応じて、PLL1203は、その状態に対抗するように出力周波数を調整する。(例えば、インピーダンス曲線の反対側での周波数調整を回避するために)共鳴周波数以外の周波数で意図的に駆動される呼吸薬物デリバリーデバイスとは異なり、本願で開示されるシステムは、マイクロフォン142により生成される信号に基づいて、動作中に、例えばPLL1203を変化に追従させるように、共鳴周波数に十分に近付くように動作する。一実施形態において、メッシュネブライザ1200は、PLL1203をマニュアルにより及び/又はプログラム可能に制御するように構成される周波数セット1204を含んでもよい。
【００２７】
[31]PLL1203が構成され、いったんロックされると、位相差が最小化されるように及びエネルギ振幅が(少なくともローカルに)最大化されるように、動作状態を調整する。本開示により説明される特徴は、スパッタ(sputter)、処置の後、及び/又は、他の状況を含む状態を検出するために使用されてよい。
【００２８】
[32]図1に関し、一実施形態において、呼吸薬物デリバリーデバイス11は、ジェットネブライザ及び/又はそのコンポーネント/特徴部を含んでもよい。ジェットネブライザは圧縮された空気を含んでもよい。ジェットネブライザに関して放出される超音波エネルギは、ワイドバンド信号であってもよい。そのような信号は図11のサブシステム1000aのようなサブシステムを用いて測定されてもよいが、その場合、ジャンパー(1021)は省略され(及び抵抗R9は10kOhmから2kOhmへ変更され)、これにより(図10に示されるような)成果ディテクタ1007又は(図11に示されるような)ローカル発振器1020を使用しない。この動作モードでは、サブシステムは、約15kHzないし約65kHzの間のワイドバンド信号に相応しい。一例として、図3及び4はジェットネブライザの動作中に放出されるエネルギのグラフ300及び300aを示す。グラフ300及び300aは、上半分にウォーターフォール表示を含み、下半分に(エネルギ振幅の)大きさを含む。ウォーターフォール表示は、垂直軸に時間を示し、水平軸に測定周波数を示す(kHz)。図3に示されるように、グラフ300は、約15ないし約21kHzの間のワイドバンド信号303を含み、これは薬液がジェットネブライザに加えられた後に生じる。エネルギ振幅における個々のピーク301及び302がそれぞれ約64kHz及び74kHzで生じていることに留意を要する。図4はスパッタ(sputter)の開始時におけるジェットネブライザの動作を示す。グラフ300及び300aのようなグラフから導出される情報は、呼吸薬物デリバリーデバイスの動作を制御するため及び/又は(例えば患者忠実度を示すような)呼吸パラメータを監視するために使用されてよい。
【００２９】
[33]一実施形態において、システム10は吸入フラップバルブ(inhalation  flap  valve)12を含む。吸入フラップバルブ12は、空気及び/又はガスの流れに応じて動くように構成される。吸入フラップバルブ12は、呼吸薬物デリバリーデバイス11の流路(フロー経路)に含まれてもよい。例えば、吸入フラップバルブ12は、対象者106による呼吸に応じて動くように構成されてよい。例えば、吸入フラップバルブ12は、対象者による吸入に応じて開き、及び/又は、対象者による呼気に応じて閉じてもよい。吸入フラップバルブ12は、マイクロフォン142により受信される超音波エネルギを減らすように構成及び/又は配置されてもよい。一例として、図13は、吸入フラップバルブ12を含む、図12のシステム10aに類似するシステム10bを概略的に示す。一例として、図5は、例えば図13に示されるような吸入フラップバルブを含むネブライザの動作中に放出されるエネルギのグラフ500を示す。図3のグラフ300と図5のグラフ500との間の相違点及び共通点に留意を要する。
【００３０】
[34]図5に関し、グラフ500は、上半分にウォーターフォール表示を含み、下半分に(エネルギ振幅の)大きさを含む。ウォーターフォール表示は、垂直軸上に時間を示し、水平軸上に測定された周波数(kHz)を示す。図示されるように、グラフ500は、約15kHzないし約21kHzの間のワイドバンド信号を含む。3つの明確な増加は、吸入フラップバルブ12が開いたことに対応する点に留意を要する。グラフ500のようなグラフから導出される情報は、呼吸薬物デリバリーデバイスの動作を制御するため及び/又は(例えば患者忠実度を示すような)呼吸パラメータを監視するために使用されてよい。例えば、そのような情報は、対象者106に対する薬物の搬送を制御するために使用されてよい。これは、呼気中に薬物を無駄にしてしまうことを回避する。図1に関し、一実施形態において、システム10は、(例えば、共鳴から逸脱した)動作周波数を調整し及び/又は吸入フラップバルブが閉じられたことに応じて電力を減らす(ドライブする)ように構成されてもよい。その結果、エアロゾルの生成が減少し及び/又は停止する；少なくとも、対象者による次の吸入の際に吸入フラップバルブが開くまで減少及び/又は停止する。そのような動作モードは、呼吸作動型(breath-actuated)のように言及されてよい。呼気フラップバルブを用いる変形例も本開示の範囲内で想定されている。
【００３１】
[35]図13に関し、一実施形態において、システム10bは電力制御部(又はパワーコントロール部)14を含む。電力制御部14は、PLL1203からの出力(例えば、例えばロック出力)に少なくとも部分的に基づいて制御されてよい。PLL1203がロックされる場合に、例えば、吸入フラップバルブ12が開く場合に、電力制御部14は、エアロゾルを生成するためにシステム10bにとって十分である高電力設定を(クラスEドライバ1202が)利用するように、クラスEドライバ1202を制御するように構成される。PLL1203がロックされない場合、低電力設定が使用されてよい。低電力設定は、吸入フラップバルブ12が再び開いてPLL1203が再びロックできる程度に十分強い電力であることを必要としてもよい点に留意を要する。電力制御部14は、クラスEドライバ1202のための、従ってメッシュ1201のためのゲイン制御を行うように構成されてもよい。本願において説明される呼吸作動型の動作モードは、異なるタイプの呼吸薬物デリバリーデバイスに使用されてもよいことに留意を要する。
【００３２】
[36]一実施形態において、図13のシステム10bに類似するシステムは、電力制御部14のような電力制御部を必要としなくてもよい。一例として、図14は、図13のシステム10bに類似するシステム10cを概略的に示し、これは吸入フラップバルブ12を含む。PLL1203がロックされる場合、それは、メッシュ1201の共鳴周波数を出力する。PLL1203がロックされない場合、それは、エアロゾルがほとんど又は全く生成されないように、異なる周波数を出力する(例えば、共鳴周波数及び/又は共鳴周波数の1つ以上のサブハーモニック周波数からずれた周波数を出力する)。呼吸作動型の動作モードは、異なるタイプの呼吸薬物デリバリーデバイスに使用されてもよい。
【００３３】
[37]グラフ500のようなグラフから導出される情報は、デバイスの動作、呼吸速度、吸気期間、呼気期間、流速、患者による吸気強度、搬送される薬物の量、日又は週のうちの薬物搬送セッション回数などを判定するために使用されてよい。そのような測定された情報と対象者に推奨される処置との比較に基づいて、患者忠実度のレベルが判定されてもよい。様々なタイプの導出された情報の組み合わせも本開示の範囲内で想定されている。例えば、患者の忠実度を判定するために、デバイス作動情報が、患者固有の呼吸情報と組み合わせられてもよい。デバイスの作動及び/又はデバイスの作動の検出は、呼吸薬物デリバリーデバイス11及び/又はその何らかのコンポーネントの動作を特徴付けてもよい。
【００３４】
[38]図1に関し、一実施形態において、呼吸薬物デリバリーデバイス11は、メータードーズ吸入器及び/又はそのコンポーネント/特徴部を含んでよい。メータードーズ吸入器に関して放出される超音波エネルギは、(短期間の)ワイドバンド信号であってもよい。そのような信号は、図11のサブシステム1000aのようなサブシステムを用いて測定されてもよいが、ジャンパ1021は除外され(及び抵抗R9は10kOhmから2kOhmに変更され)、これにより成果ディテクタ1007(図10)又はローカル発振器1020(図11)を使用しない。この動作モードでは、サブシステムは約15kHzないし約65kHzの間のワイドバンド信号に相応しい。一例として、図8は、メータードーズ吸入器の動作中に放出されるエネルギのグラフ800を示す。グラフ800は、上半分にウォーターフォール表示を含み、下半分に(エネルギ振幅の)大きさを含む。ウォーターフォール表示は、垂直軸に時間を示し、水平軸に測定周波数を示す(kHz)。図8に示されるように、グラフ800は、約15kHzないし約25kHzの間の短期間のワイドバンド信号801を含む。グラフ800のようなグラフから導出される情報は、呼吸薬物デリバリーデバイスの動作を制御するため及び/又は(例えば、患者忠実度を示すような)呼吸パラメータを監視するために使用されてよい。
【００３５】
[39]図1に関し、システム10の電子ストレージ130は、情報を電子的に保存する電子記憶媒体を有する。電子ストレージ130についての電子記憶媒体は、システム10に一体的に提供される(実質的に取り外し不可能である)システムストレージ、及び/又は、例えばポート(例えば、USBポート、FireWireポート等)又はドライブ(例えば、ディスクドライブ等)によりシステム10に取り外し可能に接続可能なリムーバブルストレージのうちの双方又は一方を含んでもよい。電子ストレージ130は、光学的に読み取り可能な記憶媒体(例えば、光ディスク等)、磁気的に読み取り可能な記憶媒体(例えば、磁気テープ、磁気ハードドライブ、フロッピドライブ等)、荷電に基づく記憶媒体(例えば、EPROM、EEPROM、RAM等)、ソリッドステート記憶媒体(例えば、フラッシュドライブ等)、及び/又は、その他の電子的に読み取り可能な記憶媒体のうちの1つ以上を含んでもよい。電子ストレージ130は、ソフトウェアアルゴリズム、プロセッサ110により判断される情報、ユーザーインターフェース120により受信される情報、及び/又は、システム10を適切に機能させる他の情報を保存してもよい。例えば、電子ストレージ130は、生成された出力信号、及び/又は、(本願の他の説明箇所で説明される)他のパラメータ、及び/又は、他の情報に基づいて、パラメータのベクトルを記録又は保存してもよい。電子ストレージ130はシステム10内の個別的なコンポーネントであってもよいし、或いは、電子ストレージ130は(例えば、プロセッサ110のような)システム10の1つ以上の他のコンポーネントと一体的に提供されてもよい。
【００３６】
[40]図1のシステム10のユーザーインターフェース120は、システム10とユーザ(例えば、ユーザ108、対象者106、介護者、治療判断者など)との間で提供されるように構成され、それを介してユーザはシステム10に情報を提供し及びシステム10から情報を受信することが可能である。これは、データ、結果及び/又は命令、並びに、その他の任意の通信可能な事項(まとめて「情報」と言及される)が、ユーザ及びシステム10の間で通信されることを可能にする。ユーザ108によりシステム10に運ばれる情報の具体例は、患者固有の忠実度情報である。ユーザ108に運ばれる情報の具体例は、対象者106に関する忠実度情報を詳細に述べる報告(レポート)である。ユーザーインターフェース120に包含されることに相応しいインターフェースデバイスの具体例は、キーパッド、ボタン、スイッチ、キーボード、ノブ、レバー、ディスプレイスクリーン、タッチスクリーン、スピーカ、マイクロフォン、インジケータ光、可聴アラーム、及び、プリンタ等を含む。情報は、聴覚的な信号、視覚的な信号、触覚的な信号、及び/又は、他の知覚信号の形式で、ユーザーインターフェース120によりユーザ108又は対象者106に提供されてよい。
【００３７】
[41]有線又は無線の他の通信技術もユーザーインターフェース120として本願では想定されていることが、理解されるべきである。例えば、一実施形態において、ユーザーインターフェース120は、電子ストレージ130により提供される取り外し可能なストレージインターフェースとともに一体化されてもよい。この例では、情報は、(例えば、スマートカード、フラッシュドライブ、取り外し可能なディスク等のような)取り外し可能なストレージからシステム10にロードされ、ユーザがシステム10をカスタム化することを可能にする。ユーザーインターフェース120としてシステム10とともにユーザに適合される他の例示的な入力デバイス及び技術は、限定ではないが、例えばRS-232ポート、RFリンク、IRリンク、モデム(電話、ケーブル、イーサーネット(登録商標)、インターネット又はその他のもの)等を含む。要するに、システム10と情報を通信する任意の技術がユーザーインターフェース120として想定されている。
【００３８】
[42]図1のシステム10のプロセッサ110は、システム10における情報処理機能を提供するように構成される。従って、プロセッサ110は、ディジタルプロセッサ、アナログプロセッサ、情報を処理するように設計されるディジタル回路、情報を処理するように設計されるアナログ回路、及び/又は、情報を電子的に処理する他の仕組みのうちの1つ以上を含む。プロセッサ110は単独の手段(エンティティ)として図1に示されているが、これは説明上の便宜的なものであるに過ぎない。一実施形態では、プロセッサ110は複数の処理ユニットを含む。
【００３９】
[43]図1に示されるように、プロセッサ110は、1つ以上のコンピュータプログラムモジュールを実行するように構成される。1つ以上のコンピュータプログラムモジュールは、パラメータ判定モジュール111、制御モジュール112、及び/又は、その他のモジュールのうちの1つ以上を含む。プロセッサ110は、ソフトウェア；ハードウェア；ファームウェア；ソフトウェア、ハードウェア及び/又はファームウェアの何らかの組み合わせ；及び/又はプロセッサ110で処理機能を構成するその他の手段；により、モジュール111-113を実行するように構成されてもよい。
【００４０】
[44]モジュール111-113は図1では単独の処理ユニットの中に共存するように示されているが、プロセッサ110が複数の処理ユニットを含む実施形態では、モジュール111-113のうちの1つ以上が他のモジュールから離れて配置されてもよいことが、認められるべきである。ここで説明される様々なモジュール111-113により提供される機能の説明は例示的説明を目的としており、限定であるようには意図されておらず、何れのモジュール111-113も、説明されたものより多い又は少ない機能を提供してよい。例えば、モジュール111-113のうちの1つ以上は省略されてもよいし、その機能の全部又は一部は、包含、共有、統合されてもよいし、或いは、他の何れかのモジュール111-113により提供されてもよい。プロセッサ110は、何れかのモジュール111-113の下位に帰属する機能の全部又は一部を実行する1つ以上の追加的なモジュールを実行するように構成されてもよいことに、留意を要する。
【００４１】
[45]図1のシステム10のパラメータ判定モジュール111は、センサ142により生成される出力信号から1つ以上のパラメータを判定するように構成される。1つ以上のパラメータは、第1スペクトルパラメータ及び/又は他のパラメータを含んでもよい。第1スペクトルパラメータは、第1周波数バンドにおけるエネルギ振幅(の大きさ)を示してもよい。例えば、第1スペクトルパラメータは、本願の他の箇所で説明されるようなマイクロフォン142により受信される超音波エネルギの振幅を示してもよい。第1スペクトルパラメータは、呼吸薬物デリバリーデバイス11の動作を特徴付けてもよい。一実施形態において、パラメータ判定モジュール111は、第1スペクトルパラメータに類似する方法で、例えば他の周波数バンドに対応する追加的なスペクトルパラメータを判定するように構成される。
【００４２】
[46]パラメータ判定モジュール111の動作は、例えば特定のサンプリングレートで、継続的な方法で実行されてもよい。1つ以上のパラメータは、システム10の中又は対象者106の近辺の様々な位置及び/又は場所において判定されてもよい。一実施形態において、パラメータ判定モジュール111は、対象者106を監視する期間の間に継続的な方法で、パラメータによるベクトルを導出してもよい。パラメータのベクトルは、生成された出力信号のベクトル及び/又は判定されたパラメータの他のベクトルに基づいていてもよい。
【００４３】
[47]制御モジュール112は、動作中の呼吸薬物デリバリーデバイス11を制御するように構成される。制御モジュール112の動作は、パラメータ判定モジュール111により判定される1つ以上のパラメータに基づいてもよい。制御モジュール112による制御は、例えば動作周波数、駆動電力、及び/又は、本願で説明されるようなその他の調整可能な動作形態の調整を含んでもよい。調整は、判定された(スペクトル)パラメータ及び/又は生成された出力信号に基づいてもよい。調整は、例えば第1スペクトルパラメータのような特定の判定されたパラメータが所定の閾値レベル以上に維持されるように、なされてもよい。一実施形態において、そのような閾値は、特定の判定されたパラメータに関する既知の最大値についての割合(パーセンテージ)で予め決められてもよい。所定の割合は、約80％、約90％、約95％、約97％、約98％、約99％、及び/又は、他の割合であってもよい。調整は、例えば特定のサンプリングレートで継続的な方法でなされてもよい。調整は、リアルタイム又は近似的にリアルタイムでなされてもよい。調整のレートは、ミリ秒、0.5秒、1秒、2秒、5秒、10秒、20秒、及び/又は、その他の適切なレートであってよい。
【００４４】
[48]忠実性モジュール113は、対象者106に対する忠実性メトリック及び/又は忠実性パラメータを判定するように構成される。忠実性メトリック及び/又は忠実性パラメータは、パラメータ判定モジュール111により判定される1つ以上のパラメータに基づいていてもよい。例えば、特定の忠実性メトリックは、デバイス作動情報及び呼吸情報/タイミングの組み合わせに基づいてもよい。忠実性メトリック及び/又は忠実性パラメータは、例えば、推奨される処置を完全に遵守した場合についての割合として表現されてもよい。例えば、特定の患者が90％の忠実度のスコアを得た場合、そのようなスコアは、動作が進行していることの判断の際に介護者により考察されてもよい。代替的に、特定の患者が忠実度についての低いパーセンテージのスコアを得た場合、そのようなスコアは、その特定の患者に関し、特定の薬が有効でない旨の判断に先行して考察されてもよい。低いスコアは、薬物デリバリーデバイスのタイプ選択の変更を促してもよい。
【００４５】
[49]図2は、対象者に薬物を搬送するための方法200を示す。以下に説明される方法200の動作は例示的説明を意図している。所定の実施形態において、方法200は、説明されていない1つ以上の追加的な動作とともに、及び/又は、説明される動作のうちの1つ以上を行わずに、実行されてもよい。更に、方法200の動作が図2に示され及び以下において説明される順序は、限定であるようには意図されていない。
【００４６】
[50]所定の実施形態において、方法200は1つ以上の処理装置で実行されてよい(処理装置は、例えば、ディジタルプロセッサ、アナログプロセッサ、情報を処理するように設計されるディジタル回路、情報を処理するように設計されるアナログ回路、及び/又は、情報を電子的に処理する他の手段などであってよい)。1つ以上の処理装置は、電子ストレージ媒体に電子的に保存される命令に応答して方法200の動作の全部又は一部を実行する1つ以上のデバイスを含んでもよい。1つ以上の処理装置は、方法200の動作のうちの1つ以上の実行のために具体的に設計される、ハードウェア、ファームウェア及び/又はソフトウェアにより構成される1つ以上のデバイスを含んでよい。
【００４７】
[51]動作202において、呼吸可能なガス及び薬物は、対象者の気道へ送り込むために、動作中に超音波エネルギを放出する呼吸薬物デリバリーデバイスにより混合される。一実施形態において、動作202は、(図1において示され説明される)呼吸薬物デリバリーデバイスと同一又は類似の呼吸薬物デリバリーデバイスにより実行される。
【００４８】
[52]動作204において、呼吸薬物デリバリーデバイスにより放出される超音波エネルギの1つ以上の特性を表す出力信号が生成される。一実施形態において、動作204は、(図1において示され説明される)センサ142と同一又は類似のセンサにより実行される。
【００４９】
[53]動作206において、動作中に呼吸薬物デリバリーデバイスにより放出される超音波エネルギのエネルギ振幅を示す第1スペクトルパラメータが判定される。超音波エネルギは、第1の超音波周波数範囲内で放出される。第1スペクトルパラメータは、呼吸薬物デリバリーデバイスの動作を特徴付ける。一実施形態において、動作206は(図1において示され説明される)パラメータ判定モジュール111と同一又は類似のパラメータ判定モジュールにより実行される。
【００５０】
[54]特許請求の範囲において、カッコの間にある如何なる参照符号も、その請求項を限定するように解釈されてはならない。「有する」又は「含む」という言葉は、請求項に列挙されるもの以外の要素又はステップの存在を排除していない。いくつかの手段を列挙する装置の請求項において、それらの手段のうちの幾つかは、1つの同じハードウェアアイテムにより具現化されてもよい。「ある」又は「或る」のような要素に先行する言葉は、そのような要素が複数個存在することを排除しない。いくつかの手段を列挙する何らかの装置の請求項において、それらの手段のうちの幾つかは、1つの同じハードウェアアイテムにより具現化されてもよい。所定の複数の要素が相互に異なる従属請求項で引用されているという唯それだけの事実は、これらの要素が組み合わせて使用できないことを意味していない。
【００５１】
[55]本説明は、最も実用的かつ好適な形態であると現時点で考えられるものに基づく説明目的の詳細事項を含むが、そのような詳細事項は、その目的のためであるにすぎず、本開示は開示される実施形態に限定されず、むしろ、本開示は、添付の請求項の精神及び範囲に属する変形及び均等な手段を包含するように意図されていることが、理解されるべきである。例えば、可能な範囲内で、任意の実施形態の1つ以上の特徴は、他の任意の実施形態の1つ以上の特徴と組み合わせられるようにも想定されていることが、理解されるべきである。
【図１】
0006525988.tif 000002
【図２】
0006525988.tif 000003
【図３】
0006525988.tif 000004
【図４】
0006525988.tif 000005
【図５】
0006525988.tif 000006
【図６】
0006525988.tif 000007
【図７】
0006525988.tif 000008
【図８】
0006525988.tif 000009
【図９】
0006525988.tif 000010
【図１０】
0006525988.tif 000011
【図１１Ａ】
0006525988.tif 000012
【図１１Ｂ】
0006525988.tif 000013
【図１２】
0006525988.tif 000014
【図１３】
0006525988.tif 000015
【図１４】
0006525988.tif 000016
【図１５Ａ】
0006525988.tif 000017
【図１５Ｂ】
0006525988.tif 000018
【図１５Ｃ】
0006525988.tif 000019
【図１５Ｄ】
0006525988.tif 000020